(57)【特許請求の範囲】
【請求項１】
(a)重ねられた複数のテープストリップであって、
(1)第1および第2主面を有する可撓性支持体と、
(2)前記支持体の前記第1主面上に塗布された低粘着性バックサイズと、
(3)前記支持体の前記第2主面上に塗布された接着剤と、
(4)単一のパッドを形成する重ねられた複数のテープストリップであって、(i)第1長手方向縁部と、(ii)第2長手方向縁部と、(iii)露出した第1主面を有する最上部テープストリップと、(iv)露出した第2主面を有する最下部テープストリップと、を有する複数のテープストリップと、
(b)前記最上部テープストリップの前記露出第1主面の長手方向部分に整列配置され、かつ該部分上に重ねられたリーダーストリップであって、
(1)前記リーダーストリップの粘着性長手方向端部部分が、前記最上部テープストリップの前記露出第1主面の前記長手方向端部上に配置され、該端部に接着され、
(2)前記リーダーストリップの不粘着性長手方向端部部分が、前記パッドの前記第1および第2長手方向縁部の中間に配置され、中央に位置する不粘着性プルタブ部分を形成する、リーダーストリップと、を含む接着テープストリップパッド。
【請求項２】
(a)重ねられた複数のテープフラグであって、
(1)各々のフラグが、第1および第2主面を有する可撓性支持体から構成され、前記第1主面が、(i)接着剤を塗布された前記フラグの第1長手方向端部に近接する粘着性領域と、(ii)前記フラグの第2長手方向端部に近接する不粘着性領域とを有し、
(2)重ねられた複数のフラグが、(i)第1長手方向縁部と、(ii)第2長手方向縁部と、(iii)露出した第1主面を有する最上部テープフラグと、(iv)露出した第2主面を有する最下部テープフラグとを有する、複数のテープフラグと、
(b)前記最上部テープフラグの前記露出第1主面の長手方向端部部分に整列配置され、かつ該部分上に重ねられたリーダーストリップであって、
(1)前記リーダーストリップの粘着性長手方向端部部分が、前記最上部テープフラグの前記露出第1主面の前記長手方向端部上に、前記最上部テープフラグの前記第2長手方向縁部部分に近接して配置されて接着され、
(2)前記リーダーストリップの不粘着性長手方向端部部分が、前記パッドの前記第1および第2長手方向縁部の中間に配置されて、中央に位置する不粘着性プルタブ部分を形成する、リーダーストリップと、を含む接着フラグパッド。
【請求項３】
(a)(i)長さ、幅および奥行きが画定された保持室を画定し、(ii)(A)底部と、(B)側壁と、(C)上部と、(D)前記保持室全体の幅だけ実質的に延在する幅を有する、前記上部を貫通して中央に位置する開口部とを有する外枠と、
(b)前記保持室内に保持された請求項1記載のテープストリップパッドと、
(c)(i)前記外枠の前記上部を貫通する前記開口部を着脱自在に密封し、(ii)前記リーダーストリップが自動的に引き出されない状態で前記外枠から取り外すのに有効なカバーと、を含み、
(d)前記外枠の前記上部を貫通する前記開口部の前記長さが、テープストリップが前記開口部を十分通過できる長さであり、かつ前記テープストリップの一部が前記開口部から引き出された後、テープストリップ全体の長さが保持室内に落ちて戻るのを防ぐのに十分に短い製品。
【請求項４】
前記テープストリップパッドが前記外枠の底部に接着される、請求項3記載の製品。
【請求項５】
中央タブ付き接着テープパッドを製造する方法であって、
(a)重ねられた複数の接着塗布シートを含むマスターパッドを縦方向に搬送するステップであって、接着テープの各々のシートが(i)粘着性第1主面と、(ii)不粘着性第2主面と、(iii)第1および第2側部とを有するステップと、
(b)長さが連続するタブ付きリーダーストリップを縦方向に搬送するステップであって、前記タブ付きリーダーストリップが、(i)第1および第2長手方向端部と、(ii)前記第1長手方向端部に近接する粘着性長手方向端部に近接する粘着性長手方向端部部分および前記第2長手方向端部に近接する不粘着性長手方向端部部分を有する第１主面と、を有するステップと、
(c)前記タブ付きリーダーストリップの前記第1主面を前記マスターパッドの接着テープの最上部シートに積層し、前記タブ付きリーダーストリップの第1長手方向端部を前記マスターパッドの第1側部に整列配置させ、かつ前記不粘着性長手方向端部部分を前記マスターパッドの第1および第2側部の中間に配置するステップと、
(d)前記タブ付きマスターパッドを横方向に切断し、所望の幅のテープを形成するステップと、を含む中央タブ付き接着テープパッド製造方法。
【発明の詳細な説明】
技術分野
本発明は、一般に、接着テープストリップおよび接着テープフラグのパッドに関する。本発明は、特に、個々の接着テープストリップおよび接着テープフラグをこうしたパッドから分配し始めるために使用するリーダーストリップに関する。
背景技術
接着テープのロールおよび接着テープフラグのパッドは、全世界で広く使用されている。最も広く使用されている種類の接着テープフラグは、再配置可能な接着剤を利用するものである。
再配置可能なテープのロール、たとえばミネソタ州、セントポールのMinnesota Mining and Manufacturingが市販している再配置可能テープの「Post-ItR」ブランドのロールは、受注製産された信号シートを窓に取り付けたり(たとえば「Dog Lost Poster」)、イーゼルパッドページをイーゼルパッドから取り外した後に壁に取り付けるなどの多様な用途がある。
再配置可能テープフラグのパッド、たとえば、ミネソタ州、セントポールのMinnesota Mining and Manufacturingが市販しており、広く使用されている「Post-ItR」ブランドのテープフラグは、全世界で主要なオフィス用品になった。
接着テープフラグのパッドを対象として、様々な分配装置が開発された。これらの分配装置としては、(i)使い捨て式かつ補充可能な分配装置、(ii)往復運動および非往復運動分配装置、(iii)高容量／高プロファイルおよび低容量／低プロファイルの分配装置、(iv)単一パッドおよび複数パッド分配装置、(v)携帯式かつ搭載可能な分配装置がある。
接着テープフラグの殆どのパッドに見られる１つの共通な形状構成は、使用する分配装置のタイプに関わりなく、個々のフラグをパッドから分配し始めるために使用されるある種のリーダーストリップが存在することである。有用な各種のリーダーストリップ構成が開発されてきたが、単純かつ安価に製造して取り付けることができ、様々なタイプの分配装置に有用で、信頼性があり、かつユーザが使いやすいリーダーストリップ構成に対するニーズが引き続き存在する。
発明の開示
我々は、接着テープストリップおよび接着テープフラグのパッドに関連して使用するための独特なリーダーテープ構成を開発した。
接着テープストリップパッド
本発明の接着テープストリップ実施例は、接着テープストリップのパッドに取り付けられたリーダーストリップから成る。パッドは、重ねた複数の個々のテープストリップから成る。
各々のテープストリップの第１主面には、低粘着性のバックサイズが塗布されているため、個々のストリップを容易に剥離することができ、各々のテープストリップの第２主面には、接着剤が塗布されている。パッドは、最上部のテープストリップの第１主面、および最下部テープストリップの第２主面が露出している。
リーダーストリップは、最上部のテープストリップの露出した第１主面の一部に整列配置され、その上に重ねられている。リーダーストリップの粘着性第１長手方向端部部分は、パッドの第１長手方向縁部に近接して配置され、最上部のテープストリップの露出第１主面に接着されており、リーダーストリップの不粘着性第２長手方向端部部分は、パッドの第１および第２長手方向縁部の中間に位置し、中央に配置された不粘着性プルタブ部分を形成する。
このプルタブ部分はパッドに付着しないので、容易に掴んで、個々のテープストリップをパッドから分配し始めることができる。プルタブ部分は、プルタブ部分の自由長手方向端部が、パッドの長手方向長さ全体の約1/5未満だけパッドの横方向軸線から長手方向に離れるように配置することが好ましい。
個々のテープストリップを連続して分配するには、(i)パッド内の個々のテープストリップ各々の第２主面を真下のテープストリップの第１主面に第１接着強度で付着させ、ストリップの長手方向縁部の一方に近接して選択した領域については、テープストリップを真下のストリップの第１主面に低接着強度で付着させ、かつ(ii)パッド内の連続するストリップが、パッドの第１および第２長手方向縁部の間に交互に各ストリップの低接着強度領域が配置されるように、パッド内の個々のテープストリップを構成する。接着強度の差は、各ストリップの低接着強度部分が、真上のストリップをパッドから剥離する際に、真下のストリップから剥離するように選択する。
接着強度の変化は、以下など、いくつかのメカニズムにより達成することができる：(i)各テープストリップの第２主面の一部のみに接着剤を塗布する、(ii)各テープストリップの第２主面に接着剤をパターン塗布して、比較的少量の接着剤を各テープストリップの第２主面の一部に塗布する、(iii)低粘着性バックサイズを各テープストリップの第１主面にパターン塗布し、比較的少量のバックサイズを各テープストリップの第１主面の一部にのみ塗布する。
接着テープフラグパッド
本発明の接着テープフラグ実施例は、接着テープストリップ実施例に実質的に類似し、接着テープフラグのパッドに取り付けられたリーダーストリップを含む。可撓性接着テープフラグのパッドは、重ねられた複数の個々のテープフラグから成り、個々のテープフラグは、露出した第１主面を有する最上部のテープフラグと、露出した第２主面を有する最下部のテープフラグとを有する単一のパッドを形成する。各々のテープフラグの第１主面は、(i)フラグの第１長手方向端部に近接し、再配置可能な接着剤を塗布された第１の粘着性領域と、(ii)シートの第２長手方向端部に近接した第２粘着性領域とを有する。
リーダーストリップは、最上部テープストリップの露出第１主面の一部に整列配置され、その上に重ねられる。リーダーストリップの粘着性第１長手方向端部部分は、パッドの第１長手方向縁部に近接して配置され、最上部テープフラグの不粘着性第２長手方向端部に近接する最上部テープフラグの露出第１主面に接着される。リーダーストリップの不粘着性第２長手方向端部部分は、パッドの第１および第２長手方向縁部の中間に配置され、中央に配置された不粘着性プルタブ部分を形成する。
プルタブ部分は、パッドに付着せず、容易に掴んで個々のテープフラグをパッドから分配し始めることができる。プルタブ部分は、プルタブ部分の自由長手方向端部が、パッドの長手方向長さ全体の約1/5未満だけパッドの横方向軸線から長手方向に離れるように配置することが好ましい。
個々のテープフラグを連続して分配するには、(i)パッド内の個々のテープフラグ各々の第２主面の粘着性第１長手方向端部を真下のテープフラグの第１主面に付着させ、かつ(ii)パッド内の連続するフラグが、各フラグの第１長手方向端部がパッドの第１および第２長手方向縁部の間に交互になる状態で配置されるように、パッド内の個々のテープフラグを構成する。
分配装置
接着テープストリップパッドおよび接着テープフラグパッドは、パッドが挿入される保持室を画定する外枠を含む分配装置から適宜分配することができる。この外枠は、底部と、側壁と、中央に位置する開口部を有する上部であって、その開口部の幅が、保持室全体の幅に実質的に延在し、長さが、テープストリップまたはフラグが開口部を十分通過できる長さであり、かつテープストリップの一部が開口部から引き出された後、テープストリップまたはフラグ全体の長さが保持室に落ちて戻るのを防ぐのに十分に短い上部とを有する。
カバーは、外枠の上部を貫通する開口部を密封し、かつカバーを取り外したときにリーダーストリップを露出させるために任意に形成することができる。
分配装置は、保持室内のテープストリップまたはテープフラグを使い尽くしたときに廃棄する使い捨て式分配装置として、または新しいパッドを保持室に挿入するために保持室に手が届くように操作可能な機構を装備された補充式分配装置として構成することができる。
分配装置は、保持室の長さが、個々のテープストリップまたはテープフラグをパッドから引き離す際に、パッドが保持室内で前後に往復運動することができるように大き目のサイズであるか、または個々のテープストリップまたはテープフラグをパッドから引き離す際に、パッドが保持室内で前後に往復運動する空間が実質的にないようにパッドを収容するサイズであるように構成しても良い。
製法
接着テープストリップおよびフラグ
本発明は、中央にタブが付いた接着テープストリップおよび接着テープフラグ(以下、「接着テープ」と総称する)を製造する方法であって、以下のステップから成る方法を含む：
(1) 重ねられた複数の接着塗布シートを含むマスターパッドを縦方向に搬送するステップであって、各々のシートが(i)粘着性第１主面と、(ii)不粘着性第２主面と、(iii)第１および第２側部とを有するステップ、
(2) 長さが連続するタブ形成材料を縦方向に搬送するステップであって、タブ形成材料が(i)第１および第２側部と、(ii)不粘着性側部余白と、接着剤を塗布された、側部余白間の粘着性中央領域とを有する第１主面と、(iii)不粘着性第２主面と、を有するステップ、
(3) ある長さのタブ形成材料の第１主面を、マスターパッドの最上部シートの第２主面に積層するステップであって、タブ形成材料がマスターパッドの両方の側部から離れており、マスターパッド上に被覆されていない側部余白を画定するステップと、
(4) タブ付きマスターパッドをタブ形成材料の粘着性部分内で縦方向に切断し、縦方向に長さが連続するテープを形成するステップであって、テープが、(i)タブ形成材料の接着剤部分で覆われた第１側部部分と、(ii)タブ形成材料がない第２側部部分と、(iii)タブ形成材料上の不粘着性側部余白の一方から形成された、テープの第１および第２側部の中間にある不粘着性タブとを有するステップ。
(5) タブ付きマスターパッドを横方向に切断し、所望の幅のテープを形成するステップ。
２種類以上の長さのタブ形成材料を接着シートのマスターパッドに積層する場合、製造工程は、さらに２つの要件に適合しなければならない。第１に、タブ形成材料の長さは、タブ形成材料で覆われないマスターパッド上のタブ形成材料の長さ間に中間隙間を画定するように互いに離れていなければならない。第２に、タブ付きマスターパッドは、不粘着性側部余白の隣接する対の間で縦方向に、長さが異なるタブ形成材料から切断しなければならない。
【図面の簡単な説明】
図１は、本発明の第１実施例の斜視図であり、閉鎖分配装置内の接着テープストリップパッドを示す。
図２〜６は、図１の本発明の拡大側断面図であり、分配装置内における接着テープストリップパッドからの接着テープストリップの順次分配を示す。
図７は、図１の接着テープストリップパッドの側面図である。
図８は、図７の接着テープストリップパッドの上面図である。
図９は、図７の接着テープストリップのうちの２つの拡大分解図である。
図10は、本発明の第２実施例の側面図であり、リーダーストリップを接着テープフラグのパッドから引っ張る前の開放分配装置内の接着テープフラグを示す。
図11は、図10の接着テープフラグパッドの側面図である。
図12は、図11の接着テープフラグパッドの上面図である。
図13は、図11の接着テープフラグのうちの１つの拡大分解側面図である。
図14は、図２のリーダーストリップの上面図である。
図15は、図14のリーダーストリップの拡大側面図である。
図16は、本発明の接着テープストリップパッドの側面図であり、仮想線で示す補充可能な分配装置の保持室に挿入された状態を示す。
図17は、２種類の長さのタブ形成材料が積層された接着シートのマスターパッドの第１実施例の上面図である。
発明を実施するための最良の形態
(最良の方式を含む)
名称
10    分配装置パッケージ
20    接着テープストリップパッド
20x   接着テープストリップパッドの長手方向軸線
20y   接着テープストリップパッドの横方向軸線
21    接着テープストリップパッドの第１長手方向縁部
22    接着テープストリップパッドの第２長手方向縁部
30    個々の接着テープストリップ
30s   支持体
30u   最上部接着テープストリップ
30p   最下部接着テープストリップ
30x   接着テープストリップの長手方向軸線
30y   接着テープストリップの横方向軸線
31    接着テープストリップの第１長手方向端部
32    接着テープストリップの第２長手方向端部
33    接着テープストリップの第１横方向側部
34    接着テープストリップの第２横方向側部
35    接着テープストリップの第１主面
36    接着テープストリップの第２主面
40    接着剤コーティング
50    低粘着性バックサイズコーティング
51    比較的高粘着性を得るために塗布された低粘着性バックサイズパターン領域
52    比較的低粘着性を得るために塗布された低粘着性バックサイズパターン領域
60    リーダーストリップ
60x   リーダーストリップの長手方向軸線
60y   リーダーストリップの横方向軸線
61    リーダーストリップの第１長手方向端部
62    リーダーストリップの第２長手方向端部
63    リーダーストリップの第１横方向側部
64    リーダーストリップの第２横方向側部
65    リーダーストリップの第１主面
66    リーダーストリップの第２主面
67    粘着防止コーティング
68    リーダーストリップの第１主面の粘着性領域
69    リーダーストリップの第１主面の不粘着性領域(プルタブ部分)
69y   プルタブ部分の横方向軸線
70    分配装置
71    底部
72f   分配装置の前部壁
72b   分配装置の後部壁
72    分配装置の側壁
73    分配装置の上部
73f   分配装置上部の第１側部
73b   分配装置上部の第２側部
74    分配装置上部の開口部
75f   第１当接面
75b   第２当接面
76    保持室
80    カバー
120   接着テープフラグパッド
120x  接着テープフラグパッドの長手方向軸線
120y  接着テープフラグパッドの横方向軸線
121   接着テープフラグパッドの第１長手方向縁部
122   接着テープフラグパッドの第２長手方向縁部
130   個々の接着テープフラグ
130u  最上部接着テープフラグ
130p  最下部接着テープフラグ
130x  接着テープフラグの長手方向軸線
130y  接着テープフラグの横方向軸線
131   接着テープフラグの第１長手方向端部
132   接着テープフラグの第２長手方向端部
133   接着テープフラグの第１横方向側部
134   接着テープフラグの第２横方向側部
135   接着テープフラグの第１主面
136   接着テープフラグの第２主面
138   接着テープフラグの第１主面の粘着性領域
139   接着テープフラグの第１主面の不粘着性領域
140   接着剤コーティング
200   マスターパッド
200m  縦方向
200t  横方向
203   マスターパッドの第１側部
204   マスターパッドの第２側部
205r  第１露出側部余白
205s  第２露出側部余白
206   タブ形成材料の長さ間の露出中間隙間
210   タブ形成材料の長さ
213   タブ形成材料の第１側部
214   タブ形成材料の第２側部
218   タブ形成材料の不粘着性側部余白
219   タブ形成材料の粘着性中央領域
219x  タブ形成材料の粘着性中央領域の長手方向軸線
250   縦方向の切断線
定義
「主面」という用語は、上に語が印刷される紙片の表面など、シートの上面および下面を意味する。
「不粘着性」という用語は、請求の範囲を含む本明細書で使用する場合、室温で圧力を加えた際に粘着性ではないことを意味する。
「再配置可能」という用語は、その標準的な工業的意味に従って本明細書で使用する技術用語である。再配置可能接着剤は、大まかに言えば、紙およびポリマーフィルムなど、代表的なテープストリップおよびテープフラグ支持体が、紙などの様々な表面に繰り返し付着し、かつその表面から剥離することができ、しかも接着強度の著しい損失がなく、接着剤残留物が表面に残らず、支持体を破壊しない接着剤である。
「テープフラグ」という用語は、広く使用されている技術用語であり、その標準的な工業的意味に従って本明細書で使用する。テープフラグは、大まかに言えば、第１主面の第１端部に接着剤が塗布され、第１主面の第２端部が不粘着性である可撓性支持体である。テープフラグは一般に矩形であり、幅は約１〜６cm、長さは３〜10cmだが、その他のサイズおよび形状も確実に可能である。支持体の不粘着性端部には、一般にはカラーコードが付いているか、または標示が印刷されている。第１主面の第２端部を不粘着性にするには、以下など様々な手段を使用することができる：(i)第１主面の第１端部にのみ、接着剤コーティングの塗布を制限する、または(ii)第１主面の表面全体に接着剤コーティングを塗布し、次に、第２端部の接着剤の上に不粘着性材料、コーティングまたはライナーを塗布する。
「テープストリップ」という用語は、広く使用されている技術用語であり、その標準の工業的意味に従って本明細書で使用する。テープストリップは、大まかに言えば、第１主面に接着剤を塗布された可撓性支持体である。テープストリップは一般に矩形であり、幅約１〜10cm、長さ約３〜20cm、最も多くの場合、幅約１〜５cm、長さ約３〜10cmだが、その他のサイズおよび形状も確実に可能である。
構造
独特のリーダーストリップ60は、接着テープストリップパッド20および接着テープフラグパッド120に使用するように考慮されている。リーダーストリップ60は、単純かつ安価に製造してパッドに上取り付けることができ、各種の分配装置に有用であり、信頼性が高く、ユーザにとっては使いやすい。
接着テープストリップパッド
個々のテープストリップ
図１〜９に示すとおり、本発明の接着テープストリップ実施例は、接着テープストリップ30のパッド20に取り付けられたリーダーストリップ60を含む。
接着テープストリップパッド20は、重ねられた複数の個々のテープストリップ30から成る。テープストリップ30は、紙、ポリエチレン、ポリプロピレン、ポリエチレンテレフタレートなどの可撓性支持体30sから構成される。個々のテープストリップ30は、長手方向軸線30xおよび横方向軸線30yを画定し、第１長手方向端部31と、第２長手方向端部32と、第１横方向側部33と、第２横方向側部34と、第１主面35と、第２主面36とを有する。各々のテープストリップ30の第１主面35には低粘着性バックサイズ50が塗布されているため、重ねられた個々のストリップ30から容易に分離することができる。各々のテープストリップ30の第２主面には、再配置可能接着剤または永久感圧接着剤などの接着剤40が塗布される。
テープストリップパッド
接着テープストリップ30のパッド20は、長手方向軸線20xおよび長手方向軸線20yを画定し、第１長手方向縁部21および第２長手方向縁部22を有する。パッド20は、最上部テープストリップ30uおよび最下部テープストリップ30pを有する。
パッド20は、所望の任意の数の個々の接着テープストリップ30から形成されるが、約10〜120枚のテープストリップ30であれば好ましく、個々のテープストリップ30各々の第２主面36を真下のテープストリップ30の第１主面35に付着させて形成する。テープストリップ30の第１主面35には、低粘着性バックサイズ50をパターン塗布するが、第１パターンコーティングを接着テープストリップ30の第１領域51に形成し、第２パターンコーティングを第２領域52上に形成する。第１パターンコーティングの接着強度は、第２パターンコーティングの接着強度より高い(つまり、第１パターンコーティングのパターンは、第２パターンコーティングのパターンより少ない表面積を覆う)。個々の接着テープストリップ30は、Ｚパターンで積層する。つまり、パッド20内の連続するストリップ30は、各々のストリップ30の高粘着パターン塗布領域51がパッド20の第１長手方向縁部21と第２長手方向縁部22の間で交互になるように配置する。高粘着パターン塗布領域51と低粘着パターン塗布領域52との接着強度の差を選択する際、各々のストリップ30の低接着強度部分52が、真上のストリップ30をパッド20から剥離するときに真下のストリップ30から剥離するように選択する。
接着強度の変化は、その他いくつかのメカニズムで達成することも可能であり、特に以下の方法があるが、これらだけに限らない：(i)各々のテープストリップ30の第１主面35の一部にのみ低粘着性バックサイズ50を塗布する、(ii)各々のテープストリップ30の第２主面36の一部にのみ接着剤40を塗布する、および(iii)上記の低粘着性バックサイズ50のパターン塗布と同様の方法で、各々のテープストリップ30の第２主面36に接着剤40をパターン塗布する。
接着テープフラグパッド
個々のテープフラグ
図10〜13に示すとおり、本発明の接着テープフラグ実施例は、接着テープフラグ130のパッド120に付着させたリーダーストリップ60を含む。
接着テープフラグパッド120は、重ねられた複数の個々のテープフラグ130から構成される。テープフラグ130は、紙、ポリエチレン、ポリプロピレン、ポリエチレンテレフタレートなどの可撓性支持体130sから構成される。個々のテープフラグ130は、長手方向軸線130xおよび横方向軸線130yを画定し、第１長手方向端部131と、第２長手方向端部132と、第１横方向側部133と、第２横方向側部134と、第１主面135と、第２主面136とを有する。
各々のテープフラグ130の第２主面136には接着剤140が塗布され、一般には再配置可能接着剤が塗布される。各々のテープフラグ130の第２主面136の第１長手方向端部部分138は、接着剤コーティング140により粘着性にされるが、各々のテープフラグ130の第２主面136の第２長手方向端部部分139は、ライナー(図示しない)を貼付する、あるいは粘着防止粒子(図示しない)を塗布するなど、適切な手段により不粘着性にして、接着剤140がこの領域に最初に塗布されるのを防ぐ。その結果、テープフラグ130は、粘着性の長手方向端部部分138と不粘着性の長手方向端部部分139に効果的に分割される。
テープフラグパッド
接着テープフラグ130のパッド120は、長手方向軸線120xおよび横方向軸線120yを画定し、第１長手方向縁部121および第２長手方向縁部122を有する。パッド120は、最上部テープフラグ130uおよび最下部テープフラグ130pを有する。
パッド120は、所望の任意の数の個々の接着テープフラグ130から形成されるが、約10〜120枚のテープフラグ30であれば好ましく、個々のテープフラグ130各々の第２主面136を真下のテープフラグ130の第１主面135に付着させて形成する。リーダーストリップ60の粘着性第１長手方向端部部分68は、最上部テープストリップ30uの第１主面35に接着され、不粘着性第２長手方向端部部分69はプルタブ部分69を画定し、このプルタブ部分69をパッド20から持ち上げて引っ張ると、個々の接着テープフラグ130をパッド120から分配し始めることができる。
個々の接着テープフラグ130は、Ｚパターンで積層する。つまり、パッド120内で連続するフラグ130は、各々のフラグ130の粘着性領域138がパッド120の第１長手方向縁部121と第２長手方向縁部122の間で交互になるように配置する。このように交互に配置されたパターンによって、各々フラグ130の不粘着性領域139は、真上のフラグ130をパッド120から剥離するときに、パッド120の表面から引き離すことができる。
本発明を説明しやすくするために、以下の説明は、接着テープストリップ実施例のみに基づいて行う。これは、いかなる点でも本発明の範囲を制限することを意図するのではない。
リーダーストリップ
リーダーストリップ60は、幅が接着テープストリップパッド20と実質的に同じであり、長さが約1/2〜4/3であり、パッド20の第１長手方向縁部21に近接する最上部テープストリップ30uの第１主面35に整列配置され、この主面上に重ねられる。
リーダーストリップ60は、長手方向軸線60xおよび横方向軸線60yを画定し、第１長手方向端部61と、第２長手方向端部62と、第１横方向側部63と、第２横方向側部64と、第１主面65と、第２主面66とを有する。リーダーストリップ60の第２主面66には、再配置可能接着剤または永久感圧接着剤などの接着剤40が塗布される。粘着防止コーティング67は、リーダーストリップ60の第１長手方向端部部分69に沿って接着剤40上に配置され、リーダーストリップ60を粘着性第１長手方向端部部分68および不粘着性第２長手方向端部部分69に分割する。リーダーストリップ60の粘着性第１長手方向端部部分68は、最上部テープストリップ30uの第１主面35に接着され、不粘着性第２長手方向端部部分69はプルタブ部分69を画定し、このプルタブ部分69をパッド20から持ち上げて引っ張ると、個々の接着テープストリップ30をパッド20から分配し始めることができる。
リーダーストリップ60の第１長手方向端部61は、パッド20の第１長手方向縁部21に整列配置され、リーダーストリップ60の粘着性第１長手方向端部部分68をパッドの第１長手方向縁部に近接して配置する。リーダーストリップ60の不粘着性第２長手方向端部部分69は、パッド20の第１長手方向縁部21と第２長手方向縁部22の中間に位置し、中央に配置された不粘着性プルタブ部分69を形成する。
プルタブ部分69は、プルタブ部分69の自由長手方向端部62が、パッド20の長手方向長さの約1/5未満だけパッド20の横方向軸線20yから長手方向に離れるようにパッド20上に配置することが好ましい。
特に、プルタブ部分69は、プルタブ部分69の自由長手方向端部62およびパッド20の横方向軸線20yにより画定される平面が、最上部テープストリップ30uにより画定される平面に実質的に垂直に延在するようにパッド20上に配置することが好ましい。
あるいは、プルタブ部分69は、プルタブ部分69の自由長手方向端部62およびパッド20の横方向軸線20yにより画定される平面が、最上部テープストリップ30uにより画定される平面に実質的に垂直に延在するようにパッド20上に配置することが好ましい。
パッド20のプルタブ部分69の所望の位置を測定する第３の代替方法では、プルタブ部分69の自由長手方向端部62を、パッド20の横方向軸線20yの長手方向の位置により画定される第１長手方向境界と、パッド20の長手方向長さの約1/5の距離だけパッド20の横方向軸線20yからパッド20の第１長手方向縁部21方向に延在する第２長手方向境界との間に配置する。
パッド20上のプルタブ部分69の所望の位置を測定する第４の代替方法では、プルタブ部分69の自由長手方向端部61を分配装置70内の開口部74の横方向中央付近に配置する。
分配装置
接着テープストリップパッド20および接着テープフラグパッド120は、こうしたパッドに一般に使用されている任意の分配装置から適宜分配することができる。具体的な分配装置70を図１〜６(第１実施例)および図10(第２実施例)に示す。分配装置70は、底部71と、前部壁72fと、後部壁72bと、側壁72と、上部73とを備え、上部73は、第１側部73fと第２側部73bとの間で、かつ分配装置70により画定される保持室76の幅全体に実質的に延在し、中央に位置する開口部74により分割されている。開口部74の長さは、テープストリップ30が開口部74を貫通して十分通過できる長さであり、かつテープストリップ30の一部が開口部74から引き出された後、テープストリップ30全体の長さが保持室76に落ちて戻るのを防ぐのに十分に短い。図４〜６に最も良く示されているように、テープストリップ30を分配装置70から取り出すと、真下のテープストリップ30の端部部分(符号なし)が開口部74から引き出され、当接面74rおよび74sの一方の上に支持され、その後分配装置70から取り出される。カバー80は、分配装置70の上部73を貫通する開口部74を密封する。
本発明の中央タブ付きパッド20は、図１〜６および10に示す開放喉状分配装置に関連して特に有用である。これらの分配装置では、分配装置70の上部73内の開口部74は、十分な大きさがあり、分配装置70内に保持されるパッドの長さの一般に約1/3〜3/4であるから、ユーザは、開口部74から保持室76内を読んで、リーダーストリップ60上のプルタブ部分69に触れることができる。あるいは、これより好ましくはないが、リーダーストリップ60上のプルタブ部分69はカバー80に取り付けて、カバー80を分配装置70から取り外す際に、リーダーストリップ60を最上部接着テープストリップ30uの一部とともに分配装置70から引き出しても良い。こうした代替実施例の使用は、分配装置70の上部73内の開口部74が約２cm未満であるため、ユーザが保持室76内を読んでプルタブ部分69に触れることができない場合に必要である。非往復運動分配装置70には比較的大きい開口部74が必要であるため、パッド20は、個々のストリップ30をパッド20から引き出す際に、パッド20が開口部74から引き出されるのを防ぐために分配装置70の底部71に付着させなければならない。
分配装置70は、保持室76内のテープストリップ30のパッド20またはテープフラグ130のパッド120がなくなったときに廃棄する使い捨て式分配装置として構成するか、または図16に仮想線で示すような補充式分配装置として構成し、新しいパッド20、120を保持室76内に挿入するために保持室76に手を触れるために操作可能な機構を装備することができる。中央タブ付きリーダーストリップ60は、パッド20が分配装置70内に部分的に挿入され、プルタブ部分69が第１当接面75fにより支持され、その結果、ユーザがパッド20の他方の端部を押し下げて、保持室のドア(符号なし)を閉じるようにすることができるという長所がある。
分配装置70は、往復運動分配装置または非往復運動分配装置として構成することができる。図16に示すように、往復運動分配装置70の保持室76の長さは、個々のテープストリップ30をパッド20から引き出す際に、保持室76内のパッド20が保持室76内で前後に往復運動することができる長さである。あるいは、図１〜６および10に示すように、非往復運動分配装置70の保持室76のサイズは、個々のテープストリップ30をパッド20から引き出す際に、保持室76内のパッド20が前後に往復運動する空間が実質的にないようにパッド20を収納できるサイズである。
製法
本発明の中央タブ付き接着テープストリップパッド20、および中央タブ付き接着テープフラグパッド120は、標準の接着テープストリップパッドを製造する際に一般に使用されるタイプの大型マスターパッド200から迅速、容易かつ正確に製造することができる。
本発明の中央タブ付き態様は、以下から構成される、タブ形成材料の長さ210を使用するマスターパッド200に適宜追加することができる：(i)第１側部213および第２側部214、(ii)不粘着性第１および第２側部余白218、並びにこれらの側部余白間に接着塗布された粘着性中央領域219を有する第１主面(図示しない)、(iii)不粘着性第２主面(図示しない)。
タブ形成材料の長さ210をマスターパッド200に貼付し、結果として得られたタブ付きマスターパッド200を切断して所望の接着テープストリップパッド20を製造する手順は、以下のステップを含む：(1)重ねられた接着塗布シートのマスターパッド200を縦方向200mに搬送するステップ、(2)長さが連続するタブ形成材料210を縦方向200mに同時に搬送するステップ、(3)タブ形成材料210の各々の長さの第１主面(図示しない)をマスターパッド200の最上部シート(符号なし)の露出第２主面(符号なし)に積層するステップであって、タブ形成材料の長さ210をマスターパッド200上に横に配置して、タブ形成材料210で覆われていないタブ形成材料210の隣接する長さの間に側部余白205および中間隙間206を形成するステップ、(4)タブ付きマスターパッド200を縦方向200mに、タブ形成材料210の粘着性部分219の中心長手方向軸線219xに沿って、かつタブ形成材料210の長さの間の中間隙間206内の中心に位置する線に沿って切断し、テープの連続縦方向長さを形成するステップ、および(5)タブ付きマスターパッドを横方向200sに切断し、所望の幅のテープストリップパッド20を形成するステップ。
タブ形成材料210で覆われないマスターパッド200上の側部余白205の横方向長さは、タブ形成材料210上の粘着性中央領域219の横方向長さの約1/3〜1/2であれば、こうした側部余白205を含む、結果として得られる接着テープストリップパッド20上に粘着性側部余白218を正確に配置する上で好ましい。同じ理由で、タブ形成材料210で覆われないマスターパッド200上のタブ形成材料210の隣接長さ間の中間隙間206は、タブ形成材料210上の粘着性中央領域219と横方向長さがほぼ同じであることが好ましい。
使用法
中央タブ付き接着テープストリップパッド20を含む分配装置パッケージ10の使用を図２〜６に示す。先ず、カバー80を分配装置70から取り外す(図３)。次に、露出したプルタブ部分69を親指と人差し指で掴み、分配装置70の上部73内の開口部74から引っ張り(図４)、リーダーストリップ60を保持室76から完全に引き出す(図５)。その結果、最上部接着テープストリップ30uの第１長手方向端部31は、分配装置70の上部73内の開口部74から引き出され(図５)、リーダーストリップ60を完全に分離すると、分配装置70上の第２当接面75bにより支持される(図６)。
【図１】
0003858083.tif 000002
【図２】
0003858083.tif 000003
【図３】
0003858083.tif 000004
【図４】
0003858083.tif 000005
【図５】
0003858083.tif 000006
【図６】
0003858083.tif 000007
【図７】
0003858083.tif 000008
【図８】
0003858083.tif 000009
【図９】
0003858083.tif 000010
【図１０】
0003858083.tif 000011
【図１１】
0003858083.tif 000012
【図１２】
0003858083.tif 000013
【図１３】
0003858083.tif 000014
【図１４】
0003858083.tif 000015
【図１５】
0003858083.tif 000016
【図１６】
0003858083.tif 000017
【図１７】
0003858083.tif 000018